(57)【特許請求の範囲】
【請求項１】
汚濁の拡散を防ぐために淡水又は海水の水中に設置される汚濁防止膜の膜表面側に通水性の保護ネットを取り付けると共に、上記汚濁防止膜は白色系からなり、上記保護ネットは黒色系からなることを特徴とする保護ネット付き汚濁防止膜。
【請求項２】
保護ネットを汚濁防止膜の膜表面側に非固定状に取り付けた請求項１記載の保護ネット付き汚濁防止膜。
【請求項３】
保護ネットを汚濁防止膜の膜表面の両面に取り付けた請求項１又は２記載の保護ネット付き汚濁防止膜。
【請求項４】
保護ネットを汚濁防止膜の膜表面の片面に取り付けた請求項１又は２記載の保護ネット付き汚濁防止膜。
【請求項５】
保護ネットを汚濁防止膜の下部側に取り付けた請求項１〜４の何れかに記載の保護ネット付き汚濁防止膜。
【請求項６】
保護ネットの下部側は折り曲げられて水底又は海底に常時接する底側ネットからなる請求項１〜５の何れかに記載の保護ネット付き汚濁防止膜。
【請求項７】
保護ネットの網目は亀甲形からなる請求項１〜６の何れかに記載の保護ネット付き汚濁防止膜。
【発明の詳細な説明】
【技術分野】
【０００１】
この発明は、例えば水辺、河川、海洋などの工事で発生する汚濁の拡散を防ぐために海水中に設置される汚濁防止膜に係り、特に、汚濁防止膜の膜表面側に通水性の保護ネットを取り付けることにより、汚濁防止膜の膜表面に汚濁等が付着するのを防止する保護ネット付き汚濁防止膜に関するものである。
【背景技術】
【０００２】
汚濁防止膜は、例えば水辺、河川、海洋などの工事で発生する汚濁の拡散を防ぐために海水中に設置される。汚濁防止膜は、汚濁は透過させないが淡水又は海水は透過する透水性の機能を有し、汚濁の拡散を防いでいる。汚濁防止膜が透水性を有するのは、透水性がないと汚濁防止膜の内側で淡水又は海水が腐敗して環境に悪影響を及ぼすからである。また、汚濁防止膜が設置される海洋では常時干満現象が生じており、汚濁防止膜に透水性能がないと、汚濁防止膜を挟んで内外で水位差が発生し、水位差に起因して膜面に水圧が作用し、その水圧で汚濁防止膜が破損するからである。
【先行技術文献】
【特許文献】
【０００３】
【特許文献１】特開２０１３−２４５５３２
【特許文献２】特開２０１４−９５２３１
【発明の概要】
【発明が解決しようとする課題】
【０００４】
ところで、工事期間中に汚濁防止膜が破損すると、そのたびに工事を中断させ汚濁防止膜全体を撤去し、修理を行わなければならない。これには多くの時間のロスと費用がかかり大きな問題となっている。また、このような事故で汚濁の被害が出る可能性もあり大きな環境へのリスクとなっている。
さらに、汚濁防止膜は透水性を有するがために、膜表面には透水の際に通過できない汚濁が付着し易いという問題がある。そして、膜表面に汚濁が付着すると汚濁防止膜を挟んで内外での透水性が低下し、前述した汚濁防止膜の破損をはじめ汚濁防止膜の内側での環境に悪影響を及ぼすなどの諸問題が生じる。また、この場合、海水面近くでは膜表面の洗浄も可能であるが、面倒であると共にその都度、時間とコストがかかり、さらに水深が深くなると膜表面の洗浄は容易でなく、又コストもより高くなるなどの問題もある。
【０００５】
この発明は、上記のような課題に鑑み、その課題を解決すべく創案されたものであって、その目的とするところは、汚濁防止膜の膜表面側に通水性の保護ネットを取り付けることにより、膜表面側と保護ネットとの接触を通じて、汚濁防止膜の膜表面に汚濁等が付着するのを防止でき、汚濁等が付着することに起因して汚濁防止膜の破損や透水性の低下を防ぐことのできる保護ネット付き汚濁防止膜を提供することにある。
【課題を解決するための手段】
【０００６】
以上の課題を達成するために、この発明は、汚濁の拡散を防ぐために淡水又は海水の水中に設置される汚濁防止膜の膜表面側に通水性の保護ネットを取り付けると共に、上記汚濁防止膜は白色系からなり、上記保護ネットは黒色系からなる手段よりなるものである。
【発明の効果】
【０００７】
この発明に係る保護ネット付き汚濁防止膜によれば、汚濁防止膜の膜表面側に通水性の保護ネットを取り付けることにより、干満に起因して生じる水流によって膜表面側は保護ネットに頻繁に接触する。この保護ネットへの接触を通じて、汚濁防止膜の膜表面に汚濁等が付着するのを防止することができる。そして、汚濁等が付着することに起因して汚濁防止膜の破損や透水性の低下を防ぐことできる。
これにより、工事期間中に汚濁防止膜が破損することで、そのたびに工事を中断して汚濁防止膜全体を撤去し、修理を行なうことにより、多くの時間のロスと費用がかかるという不都合を解消することができる。また、汚濁防止膜の透水性の低下に伴い、汚濁防止膜の内側での環境に悪影響を及ぼすという不都合を解消することができる等、極めて新規的有益なる効果を奏するものである。
【０００８】
上記（０００７）の効果に加えて請求項１の発明では、汚濁防止膜は白色系からなり、保護ネットは黒色系からなるので、淡水又は海水の水中で、汚濁防止膜と保護ネットを確実に視認することできる。
また、上記（０００７）の効果に加えて請求項２の場合には、保護ネットは汚濁防止膜の膜表面側に非固定状に取り付けられているので、汚濁防止膜は保護ネットと確実に接触を繰り返すことができる。
また、上記（０００７）の効果に加えて請求項３の場合には、保護ネットは汚濁防止膜の膜表面の両面に取り付けられているので、汚濁防止膜の両面側に汚泥が付着するのを防ぐことができる。
また、上記（０００７）の効果に加えて請求項４の場合には、保護ネットは汚濁防止膜の膜表面の片面に取り付けられているので、汚濁防止膜の片面側に汚泥が付着するのを防ぐことができる。
また、上記（０００７）の効果に加えて請求項５の場合には、保護ネットは汚濁防止膜の下部側に取り付けられているので、汚濁防止膜の下部側に汚泥が付着するのを防ぐことができる。
また、上記（０００７）の効果に加えて請求項６の場合には、保護ネットの下部側は折り曲げられて水底又は海底に常時接する底側ネットからなるので、底側ネットが抵抗となって汚濁防止膜の膜下端が水底又は海底と擦れ合うのを防ぐことができる。
また、上記（０００７）の効果に加えて請求項７の場合には、保護ネットの網目は亀甲形からなるので、保護ネットに接触する汚濁防止膜は６つの方向の線状方向で触れ合うことになり、膜表面に付着している汚濁はより確実に剥がれ落ちやすくなる。
【図面の簡単な説明】
【０００９】
【図１】この発明を実施するための形態−１を示す保護ネット付き汚濁防止膜の水中設置時の斜視図である。
【図２】この発明を実施するための形態−１を示す保護ネット付き汚濁防止膜の水中設置時の側断面である。
【図３】この発明を実施するための形態−１を示す別の保護ネット付き汚濁防止膜の水中設置時の斜視図である。
【図４】この発明を実施するための形態−２を示す保護ネット付き汚濁防止膜の水中設置時の斜視図である。
【図５】この発明を実施するための形態−２を示す保護ネット付き汚濁防止膜の水中設置時の側断面である。
【図６】この発明を実施するための形態−２を示す別の保護ネット付き汚濁防止膜の水中設置時の斜視図である。
【図７】この発明を実施するための形態−３を示す保護ネット付き汚濁防止膜の水中設置時の斜視図である。
【図８】この発明を実施するための形態−３を示す保護ネット付き汚濁防止膜の水中設置時の側断面である。
【図９】この発明を実施するための形態−３を示す別の保護ネット付き汚濁防止膜の水中設置時の斜視図である。
【図１０】この発明を実施するための形態−１、２，３における保護ネット付き汚濁防止膜を工事水域を囲むように水中設置時の斜視図である。ように示す図である。
【図１１】この発明を実施するための形態−１、２，３における保護ネット付き汚濁防止膜の部分拡大での動作を示す図である。
【発明を実施するための形態】
【００１０】
以下、図面に記載の発明を実施するための形態に基づいて、この発明をより具体的に説明する。
〔実施の形態−１〕
図１〜図３において、汚濁防止膜１は、例えば水辺、河川、海洋などの工事で発生する汚濁の拡散を防ぐために淡水又は海水の水中ａに設置される。汚濁防止膜１は、汚濁は通さないが淡水又は海水は透過する透水性の機能を有し、汚濁の拡散を防いでいる。汚濁防止膜１は淡水又は海水の水面ｂに浮かぶフロート２に連結材２１を介して吊持されている。汚濁防止膜１の色は例えば白色系が使用されている。
【００１１】
汚濁防止膜１及びフロート２には干満の際に、潮流によってこれを移動させる力が作用する。このため、汚濁防止膜１を吊持するフロート２が潮流などによって流れないように、汚濁防止膜１を吊持するフロート２は水底又は海底ｃに設置される図示しないアンカーブロックに張設されるワイヤーロープ２２を通じて保持されている。図２では、ワイヤーロープ２２の上端側は連結材２１の下部側に取り付けられた各保持部材２３にそれぞれ連結されている。各保持部材２３は汚濁防止膜１を挟んでその内外側に向けて取り付けられている。
【００１２】
保護ネット３は、汚濁の拡散を防ぐために淡水又は海水の水中に設置される汚濁防止膜１の膜表面側に取り付けられている。図１及び図２では、保護ネット３は汚濁防止膜１の膜表面側の全面の両面側に取り付けられているが、必要に応じて図３に示すように汚濁が発生する側の片面のみに取り付けられることもある。保護ネット３の色は、白色系の汚濁防止膜１との対比で黒色系が使用され、淡水又は海水の水中ａで視認されやすいようになっている。
【００１３】
保護ネット３は、汚濁防止膜１の膜表面側に非固定状に取り付けられている。保護ネット３は汚濁防止膜１の膜表面側に非接触状態、つまり僅かに隙間をあけて取り付けられている。汚濁防止膜１は、前後の保護ネット３の間に隙間をあけて取り付けられているので、その前後の隙間部分だけ潮流によって前後揺れて、前後の保護ネット３に頻繁に接触できるようになっている。
【００１４】
保護ネット３は通水性を有する網目型のものからなる。図１、図３に示す保護ネット３の網目の形状は例えば亀甲形の形状からなっているが、図１０に示すように菱形の形状でもよい。或いは格子形の形状でもよい。保護ネット３の材質としては樹脂製、金属製でもよい。金属製の場合には淡水又は海水の水中ａで錆び易いので、錆びないように樹脂などで被覆されたものが使用される。
【００１５】
図１、図３に示す亀甲形の保護ネット３は、例えば合成樹脂モノフィラメントからなる線材を六角形の亀甲形に編み上げた網体から構成されている。合成樹脂モノフィラメントは、強度や耐久性にすぐれている。特に耐水性に優れていることは生け簀用網として使用されていることで実証済みである。河川や海洋などで使用されるので、錆びない特性は貴重である。この合成樹脂モノフィラメントには耐久性や強度に優れた例えばポリエステルが使用される。合成樹脂モノフィラメントの線材は、直径が例えば２mm〜５mmのものが使用される。
【００１６】
通水性の保護ネット３の網目は透水性の汚濁防止膜１の微小な網目に比して非常に大きいため、保護ネット３は潮流の影響を受けにくく、潮流による揺れ具合は汚濁防止膜１に比べて小さい。このため、潮流の影響を強く受ける汚濁防止膜１は、揺れの小さい保護ネット３の表面に頻繁に接触し、その接触時に汚濁防止膜１の表面に付着している汚濁はその都度、剥がされて落とされる。
【００１７】
これにより、汚濁防止膜１の表面に汚濁が付着して透水性を低下させるのを防ぐことができる。また、汚濁の塊などは、保護ネット３によって直前で、汚濁防止膜１の膜表面に直に当たるのが防がれ、汚濁防止膜１が汚濁の塊によって破損するのが未然に防がれている。
【００１８】
保護ネット３はその上端側が汚濁防止膜１の上端側に取り付けられた上部取付具３１に連結されている。上部取付具３１には例えばワイヤーロープが使用されている。ワイヤーロープからなる上部取付具３１は、汚濁防止膜１の上端側に沿って水平に取り付けられている。
【００１９】
前述したように図１及び図２では、保護ネット３は汚濁防止膜１の膜表面の全面の両面側に取り付けられている。汚濁防止膜１の両面側に取り付けられた垂直な保護ネット３は、そのネット膜下端３２が連結されている。ネット膜下端３２の連結は線状の別部材を使用して連結したり、図２に示すように保護ネット３のネット膜下端３２を水平向きに折り曲げて連結されることもある。両面側の保護ネット３の連結されたネット膜下端３２は水底又は海底ｃに接している。
【００２０】
一方、膜表面の両面側が保護ネット３で挟まれた汚濁防止膜１は、その膜下端１１が保護ネット３の連結されたネット膜下端３２の内側、つまり保護ネット３の連結されたネット膜下端３２上にある。つまり汚濁防止膜１の膜下端１１が水底又は海底ｃに直に接するのが保護ネット３のネット膜下端３２によって回避されていて、汚濁防止膜１の膜下端１１が水底又は海底ｃに直に接することにより、破損するのが防がれている。
【００２１】
次に、上記発明を実施するための形態の構成に基づく使用について以下説明する。
例えば水辺、河川、海洋などの工事区域を囲むようにして淡水又は海水の水面ｂにフロート２を配置して浮かべ、フロート２の下部に取り付けられた連結材２１に汚濁防止膜１の上端側を連結して、淡水又は海水の水中ａに工事区域を囲むように汚濁防止膜１を設置する（図１０参照）。
【００２２】
汚濁防止膜１を挟んで水底又は海底ｃに設置されている図示しないアンカーブロックに、その下端側が連結されたワイヤーロープ２２の上端側を、汚濁防止膜１の上端側に取り付けられている保持部材２３に連結して、張設されるワイヤーロープ２２を通じて汚濁防止膜１を工事区域の所定の淡水又は海水の水中ａに保持する。
【００２３】
その後、所定の水域の淡水又は海水の水中ａに設置された汚濁防止膜１の膜表面側の両面側に、保護ネット３を取り付ける。この保護ネット３を取り付けるために、汚濁防止膜１の上端側にはその幅方向に向けて例えばワイヤーロープなどからなる上部取付具３１が取り付けられる。汚濁防止膜１の両面側に保護ネット３を取り付ける場合には、上部取付具３１は汚濁防止膜１の両面側に取り付けられる。
【００２４】
汚濁防止膜１の膜表面の両面側に保護ネット３を取り付ける場合は、両側の保護ネット３のネット膜下端３２同士の連結は線状の別部材を使用して連結したり、図２に示すように保護ネット３のネット膜下端３２を水平向きに折り曲げて連結されることもある。保護ネット３のネット膜下端３２は水底又は海底ｃに接して取り付けられる。そして、何れにしても、汚濁防止膜１の膜下端１１と水底又は海底ｃとの間に保護ネット３のネット膜下端３２が取り付けられることにより、汚濁防止膜１の膜下端１１が水底又は海底ｃに直に触れて破損するのを防いでいる。
【００２５】
以上のようにして、汚濁防止膜１の両面側に保護ネット３が取り付けられた状態で、干満が生じると、汚濁防止膜１の膜表面に向けて何れか方向に潮流が生じて、汚濁防止膜１は内外面側に向けて揺れる。汚濁防止膜１の両面側に取り付けられた保護ネット３にも潮流が作用するが、保護ネット３の網目は汚濁防止膜１の微小な網目に比べて非常に大きいため、潮流による内外面側への揺れは小さい。
【００２６】
このため、図１１に示すように、大きく揺れる汚濁防止膜１の膜表面は保護ネット３の亀甲形の網目に頻繁に接触する。亀甲形の網目は、六角形の線状から形成され、図１、図３の場合は、一対の上下向きの線状、上下向きの線状の上端から一対の斜め上向きの線状、上下向きの線状の下端から一対の斜め下向きの線状から形成されており、亀甲形の網目に接触する汚濁防止膜１の膜表面は、これらの６つの向きの線状と触れることにより、膜表面に付着している汚濁は剥がれ易くなる。このようにして、汚濁防止膜１の膜表面に付着している汚濁を落として、汚濁防止膜１の透水性が低下するのを防ぐことができる。
【００２７】
〔実施の形態−２〕
図４〜図６において、汚濁防止膜１は、例えば水辺、河川、海洋などの工事で発生する汚濁の拡散を防ぐために淡水又は海水の水中ａに設置される。汚濁防止膜１は、汚濁は通さないが淡水又は海水は透過する透水性の機能を有し、汚濁の拡散を防いでいる。汚濁防止膜１は淡水又は海水の水面ｂに浮かぶフロート２に連結材２１を介して吊持されている。汚濁防止膜１の色は例えば白色系が使用されている。
【００２８】
汚濁防止膜１及びフロート２には干満の際に、潮流によってこれを移動させる力が作用する。このため、汚濁防止膜１を吊持するフロート２が潮流などによって流れないように、汚濁防止膜１を吊持するフロート２は水底又は海底ｃに設置される図示しないアンカーブロックに張設されるワイヤーロープ２２を通じて保持されている。図５では、ワイヤーロープ２２の上端側は連結材２１の下部側に取り付けられた各保持部材２３にそれぞれ連結されている。各保持部材２３は汚濁防止膜１を挟んでその内外側に向けて取り付けられている。
【００２９】
保護ネット４は、汚濁の拡散を防ぐために淡水又は海水の水中に設置される汚濁防止膜１の膜表面側の下部側に取り付けられている。保護ネット４は汚濁防止膜１の全面に取り付ける必要がないときに使用される。つまり、汚濁が汚濁防止膜１の下部側でのみ生じやすいときである。あるいは、汚濁防止膜１の上部側は淡水又は海水の水面ｂ側から簡単に膜表面の洗浄が容易なときである。また、図４及び図５では、保護ネット４は汚濁防止膜１の膜表面側の両面側の下部側に取り付けられているが、必要に応じて図６に示すように汚濁が発生する側の片面のみに取り付けられることもある。保護ネット４の色は、白色系の汚濁防止膜１との対比で黒色系が使用され、淡水又は海水の水中ａで視認されやすいようになっている。
【００３０】
汚濁防止膜１の下部側に取り付けられた保護ネット４は、汚濁防止膜１の膜表面側に非固定状に取り付けられている。保護ネット４は汚濁防止膜１の膜表面側に非接触状態、つまり僅かに隙間をあけて取り付けられている。汚濁防止膜１は、前後の保護ネット４の間に隙間をあけて取り付けられているので、その前後の隙間部分だけ潮流によって前後揺れて、前後の保護ネット４に頻繁に接触できるようになっている。
【００３１】
汚濁防止膜１の下部側に取り付けられた保護ネット４は通水性を有する網目型のものからなる。図４、図６に示す保護ネット４の網目の形状は例えば亀甲形の形状からなっているが、図１０に示すように菱形の形状でもよい。或いは格子形の形状でもよい。保護ネット４の材質としては樹脂製、金属製でもよい。金属製の場合には淡水又は海水の水中ａで錆び易いので、錆びないように樹脂などで被覆されたものが使用される。
【００３２】
図４、図６に示す亀甲形の保護ネット４は、例えば合成樹脂モノフィラメントからなる線材を六角形の亀甲形に編み上げた網体から構成されている。合成樹脂モノフィラメントは、強度や耐久性にすぐれている。特に耐水性に優れていることは生け簀用網として使用されていることで実証済みである。河川や海洋などで使用されるので、錆びない特性は貴重である。この合成樹脂モノフィラメントには耐久性や強度に優れた例えばポリエステルが使用される。合成樹脂モノフィラメントの線材は、直径が例えば２mm〜５mmのものが使用される。
【００３３】
通水性の保護ネット４の網目は透水性の汚濁防止膜１の微小な網目に比して非常に大きいため、保護ネット４は潮流の影響を受けにくく、潮流による揺れ具合は汚濁防止膜１に比べて小さい。このため、潮流の影響を強く受ける汚濁防止膜１は、その下部側が揺れの小さい保護ネット４の表面に頻繁に接触し、その接触時に汚濁防止膜１の下部の表面に付着している汚濁はその都度、剥がされて落とされる。
【００３４】
これにより、汚濁防止膜１の下部側の表面に汚濁が付着して透水性を低下させるのを防ぐことができる。また、汚濁の塊などは、保護ネット４によって直前で、汚濁防止膜１の下部側の膜表面に直に当たるのが防がれ、汚濁防止膜１の下部側が汚濁の塊によって破損するのが未然に防がれている。
【００３５】
保護ネット４はその上端側が汚濁防止膜１の中間より少し下側に取り付けられた中部取付具４１に連結されている。中部取付具４１には例えばワイヤーロープが使用されている。ワイヤーロープからなる中部取付具４１は、汚濁防止膜１の中間より少し下側に沿って水平に取り付けられている。
【００３６】
前述したように図４及び図５では、保護ネット４は汚濁防止膜１の膜表面の下部側の両面側に取り付けられている。汚濁防止膜１の下部側の両面側に取り付けられた垂直な保護ネット４は、そのネット膜下端４２が連結されている。ネット膜下端４２の連結は線状の別部材を使用して連結したり、図５に示すように保護ネット４のネット膜下端４２を水平向きに折り曲げて連結されることもある。両面側の保護ネット４の連結されたネット膜下端４２は水底又は海底ｃに接している。
【００３７】
一方、膜表面の下部側の両面側が保護ネット４で挟まれた汚濁防止膜１は、その膜下端１１が保護ネット４の連結されたネット膜下端４２の内側、つまり保護ネット４の連結されたネット膜下端４２上にある。つまり汚濁防止膜１の膜下端１１が水底又は海底ｃに直に接するのが保護ネット４のネット膜下端４２によって回避されていて、汚濁防止膜１の膜下端１１が水底又は海底ｃに直に接することにより、破損するのが防がれている。
【００３８】
次に、上記発明を実施するための形態の構成に基づく使用について以下説明する。
例えば水辺、河川、海洋などの工事区域を囲むようにして淡水又は海水の水面ｂにフロート２を配置して浮かべ、フロート２の下部に取り付けられた連結材２１に汚濁防止膜１の上端側を連結して、淡水又は海水の水中ａに工事区域を囲むように汚濁防止膜１を設置する（図１０参照）。
【００３９】
汚濁防止膜１を挟んで水底又は海底ｃに設置されている図示しないアンカーブロックに、その下端側が連結されたワイヤーロープ２２の上端側を、汚濁防止膜１の上端側に取り付けられている保持部材２３に連結して、張設されるワイヤーロープ２２を通じて汚濁防止膜１を工事区域の所定の淡水又は海水の水中ａに保持する。
【００４０】
その後、所定の水域の淡水又は海水の水中ａに設置された汚濁防止膜１の膜表面側の下部側の両面側に、保護ネット４を取り付ける。この保護ネット４を取り付けるために、汚濁防止膜１の中間より少し下側にはその幅方向に向けて例えばワイヤーロープなどからなる中部取付具４１が取り付けられる。汚濁防止膜１の両面側に保護ネット４を取り付ける場合には、中部取付具４１は汚濁防止膜１の両面側に取り付けられる。
【００４１】
汚濁防止膜１の膜表面の下部側の両面側に保護ネット４を取り付ける場合は、両側の保護ネット４のネット膜下端４２同士の連結は線状の別部材を使用して連結したり、図５に示すように保護ネット４のネット膜下端４２を水平向きに折り曲げて連結されることもある。保護ネット４のネット膜下端４２は水底又は海底ｃに接して取り付けられる。そして、何れにしても、汚濁防止膜１の膜下端１１と水底又は海底ｃとの間に保護ネット４のネット膜下端４２が取り付けられることにより、汚濁防止膜１の膜下端１１が水底又は海底ｃに直に触れて破損するのを防いでいる。
【００４２】
以上のようにして、汚濁防止膜１の下部側の両面側に保護ネット４が取り付けられた状態で、干満が生じると、汚濁防止膜１の膜表面に向けて何れか方向に潮流が生じて、汚濁防止膜１は内外面側に向けて揺れる。汚濁防止膜１の下部側の両面側に取り付けられた保護ネット４にも潮流が作用するが、保護ネット４の網目は汚濁防止膜１の微小な網目に比べて非常に大きいため、潮流による内外面側への揺れは小さい。
【００４３】
このため、図１１に示すように、大きく揺れる汚濁防止膜１の下部側の膜表面は保護ネット４の亀甲形の網目に頻繁に接触する。亀甲形の網目は、六角形の線状から形成され、図４、図６の場合は、一対の上下向きの線状、上下向きの線状の上端から一対の斜め上向きの線状、上下向きの線状の下端から一対の斜め下向きの線状から形成されており、亀甲形の網目に接触する汚濁防止膜１の下部側の膜表面は、これらの６つの向きの線状と触れることにより、下部側の膜表面に付着している汚濁は剥がれ易くなる。このようにして、汚濁防止膜１の下部側の膜表面に付着している汚濁を落として、汚濁防止膜１の下部側の透水性が低下するのを防ぐことができる。  
【００４４】
〔実施の形態−３〕
図７〜図９において、汚濁防止膜１は、例えば水辺、河川、海洋などの工事で発生する汚濁の拡散を防ぐために淡水又は海水の水中ａに設置される。汚濁防止膜１は、汚濁は通さないが淡水又は海水は透過する透水性の機能を有し、汚濁の拡散を防いでいる。汚濁防止膜１は淡水又は海水の水面ｂに浮かぶフロート２に連結材２１を介して吊持されている。汚濁防止膜１の色は例えば白色系が使用されている。
【００４５】
汚濁防止膜１及びフロート２には干満の際に、潮流によってこれを移動させる力が作用する。このため、汚濁防止膜１を吊持するフロート２が潮流などによって流れないように、汚濁防止膜１を吊持するフロート２は水底又は海底ｃに設置される図示しないアンカーブロックに張設されるワイヤーロープ２２を通じて保持されている。図８では、ワイヤーロープ２２の上端側は連結材２１の下部側に取り付けられた各保持部材２３にそれぞれ連結されている。各保持部材２３は汚濁防止膜１を挟んでその内外側に向けて取り付けられている。
【００４６】
保護ネット５は、汚濁の拡散を防ぐために淡水又は海水の水中に設置される汚濁防止膜１の膜表面側の下部側に取り付けられているが、前記の実施の形態−２と異なり、さらにその下部側は折り曲げられて水底又は海底ｃの表面に接するように取り付けられている。前記の実施の形態−２と同様に、保護ネット５は汚濁防止膜１の全面に取り付ける必要がないときに使用される。つまり、汚濁が汚濁防止膜１の下部側でのみ生じやすいときである。あるいは、汚濁防止膜１の上部側は淡水又は海水の水面ｂ側から簡単に膜表面の洗浄が容易なときである。また、図７及び図８では、保護ネット５は汚濁防止膜１の膜表面側の両面側の下部側に取り付けられているが、必要に応じて図９に示すように汚濁が発生する側の片面のみに取り付けられることもある。保護ネット５の色は、白色系の汚濁防止膜１との対比で黒色系が使用され、淡水又は海水の水中ａで視認されやすいようになっている。
【００４７】
汚濁防止膜１の下部側に取り付けられた保護ネット５は、汚濁防止膜１の膜表面側に非固定状に取り付けられている。保護ネット５は汚濁防止膜１の膜表面側に非接触状態、つまり僅かに隙間をあけて取り付けられている。汚濁防止膜１は、前後の保護ネット５の間に隙間をあけて取り付けられているので、その前後の隙間部分だけ潮流によって前後揺れて、前後の保護ネット５に頻繁に接触できるようになっている。
【００４８】
汚濁防止膜１の下部側に取り付けられた保護ネット５は通水性を有する網目型のものからなる。図７、図９に示す保護ネット５の網目の形状は例えば亀甲形の形状からなっているが、図１０に示すように菱形の形状でもよい。或いは格子形の形状でもよい。保護ネット５の材質としては樹脂製、金属製でもよい。金属製の場合には淡水又は海水の水中ａで錆び易いので、錆びないように樹脂などで被覆されたものが使用される。
【００４９】
図７、図９に示す亀甲形の保護ネット５は、例えば合成樹脂モノフィラメントからなる線材を六角形の亀甲形に編み上げた網体から構成されている。合成樹脂モノフィラメントは、強度や耐久性にすぐれている。特に耐水性に優れていることは生け簀用網として使用されていることで実証済みである。河川や海洋などで使用されるので、錆びない特性は貴重である。この合成樹脂モノフィラメントには耐久性や強度に優れた例えばポリエステルが使用される。合成樹脂モノフィラメントの線材は、直径が例えば２mm〜５mmのものが使用される。
【００５０】
通水性の保護ネット５の網目は透水性の汚濁防止膜１の微小な網目に比して非常に大きいため、保護ネット５は潮流の影響を受けにくく、潮流による揺れ具合は汚濁防止膜１に比べて小さい。このため、潮流の影響を強く受ける汚濁防止膜１は、その下部側が揺れの小さい保護ネット５の表面に頻繁に接触し、その接触時に汚濁防止膜１の下部の表面に付着している汚濁はその都度、剥がされて落とされる。
【００５１】
これにより、汚濁防止膜１の下部側の表面に汚濁が付着して透水性を低下させるのを防ぐことができる。また、汚濁の塊などは、保護ネット５によって直前で、汚濁防止膜１の下部側の膜表面に直に当たるのが防がれ、汚濁防止膜１の下部側が汚濁の塊によって破損するのが未然に防がれている。
【００５２】
保護ネット５はその上端側が汚濁防止膜１の中間より少し下側に取り付けられた中部取付具５１に連結されている。中部取付具５１には例えばワイヤーロープが使用されている。ワイヤーロープからなる中部取付具５１は、汚濁防止膜１の中間より少し下側に沿って水平に取り付けられている。
【００５３】
前述したように図７及び図８では、保護ネット４は汚濁防止膜１の膜表面の下部側の両面側に取り付けられている。汚濁防止膜１の下部側の両面側に取り付けられた垂直な保護ネット５は、その下部側が汚濁防止膜１の向かい側に向けてそれぞれ折り曲げられて、水底又は海底ｃに接する底側ネット５２になっている。
【００５４】
汚濁防止膜１の下部側は、底側ネット５２を備えた保護ネット５が取り付けられることにより、保護ネット５の底側ネット５２が水底又は海底ｃに常時接することで、汚濁防止膜１の下部側が揺れるのが阻止される。これにより、汚濁防止膜１の膜下端１１が揺れて水底又は海底ｃと擦れるのが防止して破損するのが防がれる。なお、図９では底側ネット５２を有する保護ネット５は、汚濁防止膜１の片面側に取り付けられている。
【００５５】
次に、上記発明を実施するための形態の構成に基づく使用について以下説明する。
例えば水辺、河川、海洋などの工事区域を囲むようにして淡水又は海水の水面ｂにフロート２を配置して浮かべ、フロート２の下部に取り付けられた連結材２１に汚濁防止膜１の上端側を連結して、淡水又は海水の水中ａに工事区域を囲むように汚濁防止膜１を設置する（図１０参照）。
【００５６】
汚濁防止膜１を挟んで水底又は海底ｃに設置されている図示しないアンカーブロックに、その下端側が連結されたワイヤーロープ２２の上端側を、汚濁防止膜１の上端側に取り付けられている保持部材２３に連結して、張設されるワイヤーロープ２２を通じて汚濁防止膜１を工事区域の所定の淡水又は海水の水中ａに保持する。
【００５７】
その後、所定の水域の淡水又は海水の水中ａに設置された汚濁防止膜１の膜表面側の下部側の両面側に、保護ネット５を取り付ける。この保護ネット５を取り付けるために、汚濁防止膜１の中間より少し下側にはその幅方向に向けて例えばワイヤーロープなどからなる中部取付具５１が取り付けられる。汚濁防止膜１の両面側に保護ネット５を取り付ける場合には、中部取付具５１は汚濁防止膜１の両面側に取り付けられる。
【００５８】
汚濁防止膜１の膜表面の下部側の両面側に保護ネット５を取り付ける場合は、保護ネット５の下部側の底側ネット５２は直角に折り曲げられて水底又は海底ｃに接して取り付けられる。そして、何れにしても、汚濁防止膜１の膜下端１１と水底又は海底ｃとの間に保護ネット５の底側ネット５２が取り付けられることにより、汚濁防止膜１の下部側が揺れるのを阻止できるので、汚濁防止膜１の膜下端１１が揺れて水底又は海底ｃと擦れるのが防止して破損するのが防がれる。
【００５９】
以上のようにして、汚濁防止膜１の下部側の両面側に保護ネット５が取り付けられた状態で、干満が生じると、汚濁防止膜１の膜表面に向けて何れか方向に潮流が生じて、汚濁防止膜１は内外面側に向けて揺れる。汚濁防止膜１の下部側の両面側に取り付けられた保護ネット５にも潮流が作用するが、保護ネット５の網目は汚濁防止膜１の微小な網目に比べて非常に大きいため、潮流による内外面側への揺れは小さい。
【００６０】
このため、図１１に示すように、大きく揺れる汚濁防止膜１の下部側の膜表面は保護ネット５の亀甲形の網目に頻繁に接触する。亀甲形の網目は、六角形の線状から形成され、図７、図９の場合は、一対の上下向きの線状、上下向きの線状の上端から一対の斜め上向きの線状、上下向きの線状の下端から一対の斜め下向きの線状から形成されており、亀甲形の網目に接触する汚濁防止膜１の下部側の膜表面は、これらの６つの向きの線状と触れることにより、下部側の膜表面に付着している汚濁は剥がれ易くなる。このようにして、汚濁防止膜１の下部側の膜表面に付着している汚濁を落として、汚濁防止膜１の下部側の透水性が低下するのを防ぐことができる。
【００６１】
なお、この発明は上記発明を実施するための形態に限定されるものではなく、この発明の精神を逸脱しない範囲で種々の改変をなし得ることは勿論である。
【符号の説明】
【００６２】
１    汚濁防止膜
１１    膜下端
２    フロート
２１    連結材
２２    ワイヤーロープ
２３    保持部材
３    保護ネット
３１    上部取付具
３２    ネット下端
４    保護ネット
４１    中部取付具
４２    ネット下端
５    保護ネット
５１    中部取付具
５２    底側ネット
ａ    淡水又は海水の水中
ｂ    淡水又は海水の水面
ｃ    水底又は海底
【図１】
0006631966.tif 000002
【図２】
0006631966.tif 000003
【図３】
0006631966.tif 000004
【図４】
0006631966.tif 000005
【図５】
0006631966.tif 000006
【図６】
0006631966.tif 000007
【図７】
0006631966.tif 000008
【図８】
0006631966.tif 000009
【図９】
0006631966.tif 000010
【図１０】
0006631966.tif 000011
【図１１】
0006631966.tif 000012